(57)【要約】【課題】衛生洗浄装置において、加熱装置からバキュームブレーカ部を経て局部洗浄ノズル等の吐水部までの流路構成を簡単なものとし、装置のコンパクト化を図る。【解決手段】衛生洗浄装置２であって、給水源９からの水の供給を受けるタンク２６を有し、タンク２６内の水を加熱する熱交換器２２と、タンク２６と一体的に設けられたＶＢ部５０と、熱交換器２２の下流側に設けられ、ＶＢ部５０を経た水の供給を受けて水を吐出する吐水部（局部洗浄ノズル３１等）と、を備え、ＶＢ部５０は、ＶＢ部５０の内部空間を、タンク２６の内部空間と連通する下側空間部５０ａと、吐水部へと連通する上側空間部５０ｂとに区画する隔壁部６３と、下側空間部５０ａから電解槽２３に水を供給するための流出口９１と、電解槽２３を経た水を上側空間部５０ｂに流入させるための流入口９２と、上側空間部５０ｂから吐水部に水を供給するための外部流出口９３と、を有する。【選択図】図８
2020133291.tif 000002
【特許請求の範囲】
【請求項１】
洗浄水により人体の局部を洗浄する衛生洗浄装置であって、
給水源からの水の供給を受けるタンクを有し、前記タンク内の水を加熱する加熱装置と、
前記タンクと一体的に設けられたバキュームブレーカ部と、
前記加熱装置の下流側に設けられ、前記バキュームブレーカ部を経た水の供給を受けて水を吐出する吐水部と、を備え、
前記バキュームブレーカ部は、
前記バキュームブレーカ部の内部空間を、前記タンクの内部空間と連通する第１空間部と、前記吐水部へと連通する第２空間部とに区画する隔壁部と、
前記第１空間部をなす部分に設けられ、前記第１空間部から所定の外部装置に水を供給するための流出口と、
前記第２空間部をなす部分に設けられ、前記外部装置を経た水を前記第２空間部に流入させるための流入口と、
前記第２空間部をなす部分に設けられ、前記第２空間部から前記吐水部に水を供給するための外部流出口と、を有する
ことを特徴とする衛生洗浄装置。
【請求項２】
前記外部装置は、所定の機能水を生成する電解槽であり、
前記電解槽は、平面視で、少なくとも一部を、前記タンクの外形範囲の外側に位置させるように設けられている
ことを特徴とする請求項１に記載の衛生洗浄装置。
【請求項３】
前記外部装置は、所定の機能水を生成する電解槽であり、
前記電解槽は、前記バキュームブレーカ部に対して直接的に連結されている
ことを特徴とする請求項１または請求項２に記載の衛生洗浄装置。
【請求項４】
前記バキュームブレーカ部は、前記タンクの上方の位置に排水口を有し、
前記タンクは、前記排水口から排出された水を所定の位置に導く排水流路部を有する
ことを特徴とする請求項１〜３のいずれか１項に記載の衛生洗浄装置。
【発明の詳細な説明】
【技術分野】
【０００１】
本発明は、洗浄水により人体の局部を洗浄する衛生洗浄装置に関する。
【背景技術】
【０００２】
従来、例えば洋式腰掛便器等の便器に搭載されて人体の局部を洗浄する衛生洗浄装置には、水道等の給水源から、人体の局部に対して洗浄水を吐出する吐水部を構成する局部洗浄ノズル（以下単に「ノズル」ともいう。）までの流路において、洗浄水を加熱する加熱装置と、加熱装置の下流側に設けられ所定の機能水を生成する電解槽とを備えたものがある。また、給水源からノズルまでの流路においては、例えば加熱装置の下流側に、大気解放式のバキュームブレーカが設けられる（例えば、特許文献１参照。）。
【０００３】
特許文献１には、給水源からノズルまでの流路に加熱装置と電解槽とを備えた構成において、電解槽の上流側および下流側のそれぞれにバキュームブレーカを配置した構成が開示されている。
【先行技術文献】
【特許文献】
【０００４】
【特許文献１】特開２０１１−２０８４３２号公報
【発明の概要】
【発明が解決しようとする課題】
【０００５】
上述のとおりバキュームブレーカを備えた構成においては、加熱装置に対して一体的にバキュームブレーカを設けた構成が検討されている。具体的には、例えば、ヒータを内蔵したタンクを有する貯湯式の加熱装置に対し、バキュームブレーカが、そのハウジングをなす構成部材をタンクに結合させた態様で、タンクの内部空間と連通するようにタンクの上側に設けられる。
【０００６】
このように加熱装置と一体的にバキュームブレーカ（以下適宜「ＶＢ」と表記。）を設けた構成（以下「タンク・ＶＢ一体構成」という。）において、加熱装置からノズルまでの流路構成として、加熱装置→ＶＢ→電解槽→ノズルの順の流路構成を採用しようとした場合、次のような問題がある。すなわち、タンクと一体的に設けられたＶＢから電解槽への流路を構成するチューブ等の配管部材に加え、電解槽からノズルへの流路を構成する配管部材が必要となる。特に、後者の流路については、各種装置のレイアウトの関係等から、加熱装置のタンクとノズルとの間に、配管部材を配設する空間を確保する必要があるため、装置の大型化が懸念される。つまり、衛生洗浄装置のコンパクト化の観点からは、ノズル側に対しては、ＶＢから延設される配管部材が接続されることが好ましい。
【０００７】
一方で、タンク・ＶＢ一体構成において、ＶＢから延設される配管部材をノズル側に接続させるため、加熱装置→電解槽→ＶＢ→ノズルの順の流路構成を採用することが考えられる。しかしながら、タンク・ＶＢ一体構成において、加熱装置とバキュームブレーカとの間に電解槽を設けることは難しい。
【０００８】
なお、他の流路構成として、例えば、加熱装置のタンクの上流側に、１つの流入口と２つの流出口を有する三方弁を設け、三方弁の動作によって、加熱装置のタンクへの給水経路と、電解槽への給水経路とを選択的に切り替える構成が考えられる。すなわち、前者の給水経路によれば、加熱装置→ＶＢ→ノズルの順となり、後者の給水経路によれば、電解槽→ＶＢ→ノズルの順となる。このため、ＶＢから延設される配管部材をノズル側に接続させることが可能となる。しかしながら、このような構成は、配管構成が複雑になり、また、三方弁が必要となることから、装置のコンパクト化の観点からは好ましくない。
【０００９】
本発明は、上記のような問題点に鑑みてなされたものであり、加熱装置からバキュームブレーカ部を経て局部洗浄ノズル等の吐水部までの流路構成を簡単なものとすることができ、装置のコンパクト化を図ることができる衛生洗浄装置を提供することを目的とする。
【課題を解決するための手段】
【００１０】
本発明に係る衛生洗浄装置は、洗浄水により人体の局部を洗浄する衛生洗浄装置であって、給水源からの水の供給を受けるタンクを有し、前記タンク内の水を加熱する加熱装置と、前記タンクと一体的に設けられたバキュームブレーカ部と、前記加熱装置の下流側に設けられ、前記バキュームブレーカ部を経た水の供給を受けて水を吐出する吐水部と、を備え、前記バキュームブレーカ部は、前記バキュームブレーカ部の内部空間を、前記タンクの内部空間と連通する第１空間部と、前記吐水部へと連通する第２空間部とに区画する隔壁部と、前記第１空間部をなす部分に設けられ、前記第１空間部から所定の外部装置に水を供給するための流出口と、前記第２空間部をなす部分に設けられ、前記外部装置を経た水を前記第２空間部に流入させるための流入口と、前記第２空間部をなす部分に設けられ、前記第２空間部から前記吐水部に水を供給するための外部流出口と、を有するものである。
【００１１】
このような構成の衛生洗浄装置によれば、加熱装置からバキュームブレーカ部を経て局部洗浄ノズル等の吐水部までの流路構成を簡単なものとすることができ、装置のコンパクト化を図ることができる。
【００１２】
本発明に係る衛生洗浄装置の他の態様は、前記外部装置は、所定の機能水を生成する電解槽であり、前記電解槽は、平面視で、少なくとも一部を、前記タンクの外形範囲の外側に位置させるように設けられているものである。
【００１３】
このような構成の衛生洗浄装置によれば、加熱装置の熱が電解槽に伝わることを抑制することができ、電解槽において流路を詰まらせる原因となるスケールが発生することを抑制することができる。
【００１４】
本発明に係る衛生洗浄装置の他の態様は、前記外部装置は、所定の機能水を生成する電解槽であり、前記電解槽は、前記バキュームブレーカ部に対して直接的に連結されているものである。
【００１５】
このような構成の衛生洗浄装置によれば、電解槽とバキュームブレーカ部との間の流路を構成するためのチューブ等の配管部材を不要にすることができ、効果的に装置のコンパクト化を図ることができるとともに、部品点数を少なくすることができ、コストを削減することが可能となる。
【００１６】
本発明に係る衛生洗浄装置の他の態様は、前記バキュームブレーカ部は、前記タンクの上方の位置に排水口を有し、前記タンクは、前記排水口から排出された水を所定の位置に導く排水流路部を有するものである。
【００１７】
このような構成の衛生洗浄装置によれば、チューブ等の配管部材を必要とせず、バキュームブレーカ部からの異常時における排水やタンクの表面の結露水を、所定の場所に導くことが可能となり、効果的に装置のコンパクト化を図ることができるとともに、部品点数を少なくすることができ、コストを削減することが可能となる。
【発明の効果】
【００１８】
本発明によれば、加熱装置からバキュームブレーカ部を経て局部洗浄ノズル等の吐水部までの流路構成を簡単なものとすることができ、装置のコンパクト化を図ることができる。
【図面の簡単な説明】
【００１９】
【図１】本発明の一実施形態に係る衛生洗浄装置を備えたトイレ装置を示す斜視図である。
【図２】本発明の一実施形態に係る衛生洗浄装置の構成を示すブロック図である。
【図３】本発明の一実施形態に係る衛生洗浄装置における装置・機器の配置構成を示す平面図である。
【図４】本発明の一実施形態に係る衛生洗浄装置の熱交換器およびその周辺を示す斜視図である。
【図５】本発明の一実施形態に係る衛生洗浄装置の熱交換器およびその周辺を示す平面図である。
【図６】本発明の一実施形態に係るバキュームブレーカ部およびその周辺を示す斜視図である。
【図７】本発明の一実施形態に係るバキュームブレーカ部およびその周辺を示す平面図である。
【図８】本発明の一実施形態に係るバキュームブレーカ部についての図７におけるＡ−Ａ断面図である。
【図９】本発明の一実施形態に係るバキュームブレーカ部の構成を示す分解斜視図である。
【図１０】本発明の一実施形態に係るＶＢ下部材の平面斜視図である。
【図１１】本発明の一実施形態に係るＶＢ下部材の平面斜視図である。
【図１２】本発明の一実施形態に係るＶＢ下部材の底面斜視図である。
【図１３】本発明の一実施形態に係るＶＢ下部材の平面図である。
【図１４】本発明の一実施形態に係るＶＢ下部材の左側面図である。
【図１５】本発明の一実施形態に係るＶＢキャップ部材の平面斜視図である。
【図１６】本発明の一実施形態に係るＶＢキャップ部材の底面斜視図である。
【図１７】本発明の一実施形態に係るストレーナの底面斜視図である。
【図１８】本発明の一実施形態に係る衛生洗浄装置における熱交換器からノズルユニットまでの流路構成を示すブロック図である。
【図１９】本発明の一実施形態に係る電解槽とバキュームブレーカ部との接続構成を示す分解図である。
【図２０】本発明の一実施形態に係るバキュームブレーカ部における流路構成を示す斜視断面図である。
【図２１】本発明の一実施形態に係るＶＢ排水流路の構成を示す斜視図である。
【発明を実施するための形態】
【００２０】
本発明は、水道等の給水源から局部洗浄ノズル等の吐水部までの流路において、加熱装置に対して一体的にバキュームブレーカ部を設け、そのバキュームブレーカ部の構造等を工夫することにより、流路構成の簡素化を図り、コンパクトな装置構成を実現しようとするものである。以下、本発明の実施の形態について図面を参照して説明する。本実施形態では、衛生洗浄装置が、トイレ装置において洋式腰掛便器の上に設置された構成を例にとって説明する。
【００２１】
図１に示すように、本実施形態に係るトイレ装置１は、洗浄水により人体（使用者）の局部を洗浄する衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００２２】
便器３は、上側を開放側とした凹状のボウル部３ａを有する。便器３は、ボウル部３ａにおいてトイレ装置１の使用者の尿や便などの排泄物を受ける。
【００２３】
衛生洗浄装置２は、筐体をなすケーシング５内に各種の装置・機器を内蔵した装置本体部４と、装置本体部４のケーシング５に対して回動可能に支持された便座６および便蓋７とを有する。衛生洗浄装置２は、便器３に対して、装置本体部４をボウル部３ａの後方の上側に位置させ、便座６および便蓋７の回動動作によってボウル部３ａの上側の開放部を開閉するように設けられる。
【００２４】
ケーシング５は、その底部をなすベースプレート５ａ（図３参照）と、ベースプレート５ａを上側から覆うケースカバー５ｂとを有する。ベースプレート５ａ上に、ケーシング５に内蔵される各種の装置・機器が設置されている。
【００２５】
なお、トイレ装置１は、装置本体部４の後方に、洗浄水を貯溜する貯水タンクを備えたロータンク式のものであってもよい。この場合、装置本体部４のケーシング５のケースカバー５ｂは、例えば、内部に貯水タンクを収容するタンクカバー部分とともに、一体のタンクカバーを構成するか、あるいは、タンクカバー部分とは別体の部材として設けられ、タンクカバー部分をなす部材とともにタンクカバーを構成する。
【００２６】
衛生洗浄装置２の構成ついて、図２および図３を参照して説明する。なお、図２は、洗浄水の供給経路の構成と制御構成を併せて示しており、図２では、水の流れを実線で、信号または電気の流れを破線でそれぞれ示している。また、図３に示すように、衛生洗浄装置２における前後・左右・上下方向は、図１に示すトイレ装置１における前後・左右・上下方向に対応している。
【００２７】
図２に示すように、衛生洗浄装置２は、制御部１０と、人体検知センサ１２と、着座検知センサ１３と、洗浄水供給部１４と、ノズルユニット１５とを有する。これらの構成は、ケーシング５に内蔵されている。また、衛生洗浄装置２は、例えばリモートコントローラとして設けられる操作部（図示略）を有する。
【００２８】
制御部１０は、例えば、ＣＰＵ等の演算処理装置やＲＡＭ等の記憶装置等を備えたものであり、洗浄水供給部１４やノズルユニット１５等の各部の動作を制御する。制御部１０は、例えば使用者による操作部に対する操作に基づく操作部からの入力信号に応じて、各部の動作を制御する。なお、制御部１０と操作部との間の通信方式は、有線であっても無線であってもよい。
【００２９】
人体検知センサ１２は、トイレ装置１が設置されたトイレルーム内に入室した使用者を検知するセンサである。人体検知センサ１２は、その検知信号を制御部１０に対して出力する。人体検知センサ１２は、例えば、赤外線信号を利用した焦電センサや、マイクロ波を用いたマイクロ波ドップラセンサ等の電波センサである。
【００３０】
着座検知センサ１３は、使用者の着座として、便座６に着座する直前の使用者や便座６に着座した状態の使用者を検知するセンサである。着座検知センサ１３は、その検知信号を制御部１０に対して出力する。着座検知センサ１３は、例えば、赤外線投受光式の測距センサや、便座６に着座した使用者の荷重を検知するスイッチである。
【００３１】
洗浄水供給部１４は、水道等の所定の給水源９からの給水を受け、供給された洗浄水（水）を、ノズルユニット１５へと供給する。洗浄水供給部１４は、バルブユニット２１と、熱交換器２２と、電解槽２３と、バキュームブレーカ（ＶＢ）２４とを有する。
【００３２】
バルブユニット２１は、例えば電磁弁により構成された流路開閉弁やストレーナ等を含み、洗浄水供給部１４に供給される水の流路を開閉する。つまり、バルブユニット２１は、流路開閉弁の開閉動作によって、給水源９から供給される洗浄水の給水と止水とを切り替える。バルブユニット２１は、制御部１０からの制御信号に基づいて開閉動作する。
【００３３】
熱交換器２２は、バルブユニット２１の下流側に設けられている。熱交換器２２は、給水源９からの水の供給を受けるタンク２６を有し、タンク２６内の水を加熱する加熱装置である。図３に示すように、熱交換器２２は、タンク２６内に加熱源として発熱体であるヒータ２７を有し、ヒータ２７により、給水源９から供給された洗浄水を加熱して温水とする。つまり、熱交換器２２は、タンク２６を貯湯タンクとする貯湯加熱式のものである。
【００３４】
熱交換器２２により得られる温水の温度は、例えば操作部の操作により設定される。本実施形態では、ヒータ２７は、直線棒状に構成されたシーズヒータであり、タンク２６内の底部付近に配置されている。ヒータ２７は、制御部１０からの制御信号に基づいて通電により発熱する。
【００３５】
このように熱交換器２２を有する洗浄水供給部１４から各供給先に供給される洗浄水には、給水源から供給されたままの水と、熱交換器２２によって加熱された温水とが含まれる。なお、熱交換器２２は、例えばセラミックヒータ等の他の加熱源を用いたものであってもよい。
【００３６】
電解槽２３は、熱交換器２２の下流側に設けられている。電解槽２３は、一対の電極を有し、熱交換器２２側から供給された水を電極間にて電気分解する。電解槽２３は、洗浄水に含まれる塩素イオンを電気分解することにより、機能水として、次亜塩素酸（ＨＣｌＯ）を含む水を生成する。
【００３７】
電解槽２３における通電動作は、制御部１０からの制御信号に基づいて制御される。なお、電解槽２３は、供給された水を電気分解することなく下流側へと流すこともできる。電解槽２３は、所定の配線により制御部１０に接続されている。
【００３８】
バキュームブレーカ２４は、大気開放された開放部を有する大気解放式のものであり、電解槽２３から供給される水の逆流を防止する。バキュームブレーカ２４を通過した水は、ノズルユニット１５へと供給される。本実施形態では、後述するように、バキュームブレーカ２４としての機能を有するバキュームブレーカ部５０（以下「ＶＢ部５０」と表記する。）が、熱交換器２２のタンク２６と一体的に設けられている。
【００３９】
ノズルユニット１５は、ノズル本体をなす局部洗浄ノズル３１と、ノズル洗浄部としてのノズル洗浄室３２と、流路切替弁３３と、局部洗浄ノズル３１を支持する支持体３４（図３参照）と、ノズル駆動部３５とを有し、ケーシング５（のベースプレート５ａ）に対する一体的な取付体として構成されている。
【００４０】
局部洗浄ノズル３１は、人体の局部を洗浄するための水（洗浄水）を吐出するものである。局部洗浄ノズル３１は、略円筒棒状に構成され、平面視でその長手方向が前後方向となるように設けられている。局部洗浄ノズル３１は、ノズル駆動部３５により、ケーシング５内から便器３のボウル部３ａ内に対して進退可能（出没可能）に設けられている（図３、矢印Ａ１参照）。
【００４１】
局部洗浄ノズル３１は、その長手方向の一側（前端側）に、洗浄水を吐出する複数の吐水孔３６を有する。本実施形態では、局部洗浄ノズル３１は、人体用の吐水孔３６として、おしり洗浄用の第１吐水孔３６ａと、おしりを優しく洗うやわらか洗浄用の第２吐水孔３６ｂと、ビデ洗浄用の第３吐水孔３６ｃとを有する。これらの吐水孔３６は、局部洗浄ノズル３１の先端部の上側に設けられている。これらの吐水孔３６に供給された洗浄水は、吐水孔３６から上方へ向けて吐出され、便座６に着座した状態の使用者の局部洗浄に用いられる。
【００４２】
また、局部洗浄ノズル３１は、便器用の吐水孔３６として、第４吐水孔３６ｄを有する。第４吐水孔３６ｄは、局部洗浄ノズル３１の先端部の下側に設けられている。第４吐水孔３６ｄは、例えば使用者による便器３の使用前または使用後にボウル部３ａに対して水を吐出する洗浄処理に用いられる。なお、このボウル部３ａの洗浄処理には、電解槽２３で生成された機能水が用いられてもよい。
【００４３】
局部洗浄ノズル３１においては、各吐水孔３６に連通する流路が形成されている。すなわち、局部洗浄ノズル３１は、給水流路として、第１吐水孔３６ａに連通する第１の給水流路３７ａと、第２吐水孔３６ｂに連通する第２の給水流路３７ｂと、第３吐水孔３６ｃに連通する第３の給水流路３７ｃと、第４吐水孔３６ｄに連通する第４の給水流路３７ｄとを有する。これらの給水流路は、流路切替弁３３から各吐水孔３６に連通する給水流路を構成し、流路切替弁３３によって切り替えられる流路に含まれる。
【００４４】
ノズル洗浄室３２は、支持体３４の前端部に固定された状態で設けられている。ノズル洗浄室３２は、支持体３４に設けられ、給水源９から供給された水により局部洗浄ノズル３１を洗浄する。本実施形態では、ノズル洗浄室３２は、支持体３４の前端部において、支持体３４と一体的に設けられている。
【００４５】
ノズル洗浄室３２は、局部洗浄ノズル３１が挿通される内部空間を形成する部材により構成されている。ノズル洗浄室３２は、その内部空間に臨んで開口する吐水口を有し、この吐水口から洗浄水を吐出することにより、局部洗浄ノズル３１の外周面の洗浄、即ち胴体洗浄を行う。局部洗浄ノズル３１の胴体洗浄には、電解槽２３で生成された機能水が適宜用いられる。
【００４６】
ノズル洗浄室３２に対しては、給水源９から洗浄水供給部１４のバキュームブレーカ２４を経た水が、流路切替弁３３を介して供給される。このため、バキュームブレーカ２４と流路切替弁３３とは、チューブ等の給水管によって構成された給水経路４１（後述する第３の流路１１３）により互いに連通接続されている。また、流路切替弁３３とノズル洗浄室３２とは、これらの間の給水経路を構成するチューブ等の給水管４２により互いに連通接続されている。すなわち、給水管４２による給水流路は、局部洗浄ノズル３１の各吐水孔３６に連通する給水流路とともに、流路切替弁３３によって切り替えられる流路に含まれる。
【００４７】
流路切替弁３３は、バキュームブレーカ２４の下流側に設けられており、バキュームブレーカ２４から供給される水（機能水を含む）の供給を受ける。流路切替弁３３は、洗浄水の供給先となる複数の吐水口部に対する流路の切替えを行う。洗浄水の供給先には、局部洗浄ノズル３１およびノズル洗浄室３２が含まれる。
【００４８】
流路切替弁３３は、局部洗浄ノズル３１と一体的に移動するように設けられている。本実施形態では、流路切替弁３３は、局部洗浄ノズル３１の後側に設けられている。
【００４９】
流路切替弁３３は、水の供給先を切り替える流路に局部洗浄ノズル３１への給水流路およびノズル洗浄室３２への給水流路を含む。本実施形態では、流路切替弁３３は、局部洗浄ノズル３１への給水流路として、第１の給水流路３７ａ、第２の給水流路３７ｂ、第３の給水流路３７ｃ、および第４の給水流路３７ｄを有し、ノズル洗浄室３２への給水流路として、給水管４２により構成された給水流路を有する。すなわち、本実施形態では、流路切替弁３３からの洗浄水の供給先に、複数の吐水孔３６を有する局部洗浄ノズル３１、およびノズル洗浄室３２が含まれる。
【００５０】
流路切替弁３３は、相対移動する２つのバルブディスクを有し、これらのバルブディスクの位置関係によって流路を切り替えるディスクバルブ機構を備えている。流路切替弁３３は、ディスクバルブ機構の駆動源としてのモータ３８を有する。モータ３８は、例えば、パルス電力に同期して回動するステッピングモータ（パルスモータ）である。
【００５１】
モータ３８は、所定の配線により制御部１０に接続されており、モータ３８の動作は、制御部１０により制御される。すなわち、流路切替弁３３は、制御部１０からの制御信号に基づき、上述した複数の吐水孔３６およびノズル洗浄室３２の吐水口を対象として給水流路を切り替える。また、流路切替弁３３は、各給水先に対する水の流量調整の機能を有する。なお、流路切替弁３３の構造は、特に限定されるものではない。
【００５２】
支持体３４は、ケーシング５に対して着脱可能に設けられ、局部洗浄ノズル３１を支持する。具体的には、支持体３４は、ケーシング５のベースプレート５ａに対して着脱可能に取り付けられ、局部洗浄ノズル３１を前下がりの傾斜状に往復直線移動可能に支持する。支持体３４は、ノズルユニット１５において、ノズル洗浄室３２の設置を受けるとともに、局部洗浄ノズル３１、およびこれと一体的に設けられた流路切替弁３３を支持する支持基体を構成する。
【００５３】
ノズル駆動部３５は、駆動源として電動モータ等のノズルモータを含み、局部洗浄ノズル３１を便器３のボウル部３ａ内に対して進退動作させるための構成である。また、ノズル駆動部３５は、ノズルモータの動力を、局部洗浄ノズル３１を進退させるための動力として伝達する伝動機構として、複数のプーリおよびこれらに巻回されたベルトを含む機構を有する。
【００５４】
ノズル駆動部３５のノズルモータの動作は、制御部１０により制御される。すなわち、局部洗浄ノズル３１の進退動作は、制御部１０に接続されたノズル駆動部３５のノズルモータを介して、制御部１０により制御される。局部洗浄ノズル３１は、トイレ装置１の使用者による操作部のスイッチ操作等に応じて、傾斜状態を保持しながらボウル部３ａ内に伸び出て、吐水孔３６から洗浄水を噴射する。
【００５５】
ここで、本実施形態に係る衛生洗浄装置２の装置本体部４におけるケーシング５内の装置の配置構成について、図３を用いて説明する。図３に示すように、平面視で左右方向を長手方向とする略矩形状を有するベースプレート５ａ上において、左右中央部に、局部洗浄ノズル３１を含むノズルユニット１５が設けられている。具体的には、ベースプレート５ａは、前側の左右中間部を、便器３のボウル部３ａの平面視形状に対応するように凹状をなす湾曲部５ｄとし、この湾曲部５ｄの左右中央部に対応する位置に、局部洗浄ノズル３１が、平面視でその長手方向を前後方向（進退方向）として設けられている。
【００５６】
ノズルユニット１５の左側に、熱交換器２２が設けられている。熱交換器２２は、後側寄りの位置に設けられ、ベースプレート５ａ上のノズルユニット１５よりも左側のスペースにおいて、タンク２６によって大部分の面積を占めるように設けられている。
【００５７】
熱交換器２２のタンク２６の後側の左寄りの位置に、電解槽２３が設けられている。また、タンク２６の右側後部の上に、後述のとおりバキュームブレーカ２４の機能を有するＶＢ部５０が設けられている。
【００５８】
また、ベースプレート５ａ上における右後側に、制御部１０が設けられている。また、ベースプレート５ａ上におけるノズルユニット１５の右側のスペースに、風系ユニットとして、温風乾燥ユニット４６および脱臭ユニット４７が配設されている。
【００５９】
温風乾燥ユニット４６は、便座６に座った状態の使用者の洗浄後の局部を乾燥させるための温風を吹き出すものであり、ノズルユニット１５の右側近傍の位置にて、ベースプレート５ａ上の前後方向の略全体にわたって延設されている。脱臭ユニット４７は、脱臭触媒や脱臭フィルタなどの脱臭部材を有し、便器３のボウル部３ａ内の空気あるいはトイレルーム内の空気を吸い込み、吸い込んだ空気に含まれる悪臭成分などを脱臭部材によって低減させたり捕集または分解したりする。
【００６０】
以上のように、本実施形態に係る衛生洗浄装置２は、タンク２６を有しタンク２６内の水を加熱する熱交換器２２と、バキュームブレーカ２４として機能するＶＢ部５０と、熱交換器２２の下流側に設けられ、ＶＢ部５０を経た水の供給を受けて水を吐出する吐水部とを有する。この吐水部は、本実施形態では、ノズルユニット１５を構成する局部洗浄ノズル３１およびノズル洗浄室３２である。
【００６１】
以上のような構成を備えた衛生洗浄装置２において、ＶＢ部５０は、タンク２６と一体的に設けられている。すなわち、本実施形態の衛生洗浄装置２は、ＶＢ部５０により、熱交換器２２に対して一体的にバキュームブレーカ２４を設けた構成（以下「タンク・ＶＢ一体構成」という。）を備えている。以下、本実施形態に係るタンク・ＶＢ一体構成をなすＶＢ部５０について具体的に説明する。
【００６２】
まず、熱交換器２２の構成について説明する。熱交換器２２は、上述のとおり貯湯タンクとしてヒータ２７を内蔵したタンク２６を有する。タンク２６は、正面視および側面視において略台形状をなし、下側から上側にかけて徐々に平面視外形面積を小さくするように、なだらかな裾広がりの山型の形状を有する。言い換えると、タンク２６は、上側から下側にかけて拡開状の形状を有する。特に、本実施形態では、タンク２６は、下部に対して上部を右側に偏倚させた略截頭角錐状の外形を有する。
【００６３】
タンク２６は、概略的には、タンク２６の下部をなすタンク下部５１と、タンク２６の上部をなすタンク上部５２とを有する。タンク下部５１は、タンク２６の平面視外形をなす下側の部分であって、タンク上部５２に対してなだらかにフランジ状に張り出すように形成された拡大状の部分である。タンク上部５２は、その周壁部の勾配をタンク下部５１に対して比較的急として略直方体状の外形に沿う部分であり、略水平状の天面部５３を有する。
【００６４】
タンク２６は、その左後側に、凹形状部５４を有する。凹形状部５４は、タンク２６の平面視外形について、左右方向を長手方向とする略矩形状に対する切欠状をなす部分である。凹形状部５４は、左右方向については、タンク２６の全体の外形寸法に対して左側の略２／３の範囲にわたり、前後方向については、タンク２６の全体の外形寸法に対して後側の略１／３の範囲にわたるように形成されている。タンク２６は、凹形状部５４を有する異形矩形状の平面視外形をある程度保持しながら、下端部から上端部にかけてなだらかに平面視形状を変化させており、天面部５３においても、凹形状部５４に対応して左後側を傾斜状とした異形矩形状（略台形状）の平面視外形を有する。
【００６５】
タンク２６は、所定の固定構造により、ベースプレート５ａの所定の位置に固定されている。本実施形態では、例えば、タンク２６は、その下部の前側において外側（前方）へ向けて突設された固定用突片部２６ａを有し、この固定用突片部２６ａを、ベースプレート５ａ上に立設されたボス部５ｅに対してボルト２６ｃにより固定させている。
【００６６】
タンク２６において、底部付近、つまりタンク下部５１のより広い下端部分に、直線棒状のヒータ２７が、タンク２６の右後側の角部から左前側の角部までの略全体にわたるように、平面視で対角線に沿う態様で、水平状に配設されている（図３参照）。
【００６７】
タンク２６においては、天面部５３の中央部から、フロートスイッチ５５が垂下状態で設けられている。フロートスイッチ５５は、タンク２６内の水位を検知するためのものであり、フロートの動作によってタンク２６内の水位が所定の水位に達したことを検知すると、所定の信号を出力する。フロートスイッチ５５は、天面部５３の外側から、信号を制御部１０に対して出力するための信号線５５ａを延出させており、信号線５５ａ等を介して制御部１０に接続されている。信号線５５ａの端部には、他の配線の接続を受けるためのコネクタ５５ｂが設けられている。また、天面部５３においては、タンク２６内の水の温度を検出し、その検出信号を出力するサーミスタ等が配設される。
【００６８】
タンク２６は、右前側の下部に、流入口部５７を有する。流入口部５７は、左側に向けて開口した管状の接続管部５７ａを有し、接続管部５７ａに、タンク２６に対する給水用のチューブ等の配管部材の接続を受ける。すなわち、バルブユニット２１を経た水が配管部材によって導かれ、流入口部５７からタンク２６内に供給される。タンク２６の内部には、流入口部５７の近傍の部位に整流板が設けられており、流入口部５７から流入した水は、整流板を介してタンク２６内に溜まっていき、タンク２６内の水位を上昇させる。
【００６９】
続いて、ＶＢ部５０について説明する。ＶＢ部５０は、タンク２６の天面部５３の上側に設けられている。本実施形態では、ＶＢ部５０は、天面部５３において、フロートスイッチ５５の右斜め後側の角部に設けられている。
【００７０】
ＶＢ部５０は、そのハウジングをなす構成部材として、ＶＢ部５０の下部をなすＶＢ下部材６１と、ＶＢ部５０の上部をなすＶＢキャップ部材６２とを有する。ＶＢ部５０は、タンク下部５１において水平状の隔壁部６３を有する。隔壁部６３は、ＶＢ部５０の内部空間を、タンク２６の内部空間２６ｓと連通する第１空間部と、ノズルユニット１５が有する吐水部へと連通する第２空間部とに上下に区画する。
【００７１】
すなわち、ＶＢ部５０は、隔壁部６３の下側に、ＶＢ下部材６１とタンク２６とにより、第１空間部である下側空間部５０ａを形成する。また、ＶＢ部５０は、隔壁部６３の上側に、ＶＢ下部材６１とＶＢキャップ部材６２とにより、第２空間部である上側空間部５０ｂを形成する。
【００７２】
図９〜図１４に示すように、ＶＢ下部材６１は、隔壁部６３を含む部分であって上下方向を筒軸方向とする略円筒状の部分をなす本体部６４を有する。本体部６４は、隔壁部６３とともに上側を開放側とした凹状の上側空間６５ａをなす上側周壁部６５と、隔壁部６３とともに下側を開放側とした凹状の下側空間６６ａをなす下側周壁部６６とを有する。
【００７３】
上側周壁部６５は、隔壁部６３に対して上側に垂直状の内周壁面６５ｂを形成する部分である。内周壁面６５ｂは、平面視において、周方向について部分的に内側に湾曲状に凹ませた凹形状部を含んだ異形円周形状を有する（図１３参照）。上側周壁部６５において、上側空間６５ａは、主に、隔壁部６３の上面６３ａと、上側周壁部６５の内周壁面６５ｂとにより形成されている。
【００７４】
下側周壁部６６は、隔壁部６３から下側に円筒状に突出した部分である。下側周壁部６６において、下側空間６６ａは、主に、隔壁部６３の下面６３ｂと、下側周壁部６６の内周壁面部６６ｂとにより形成されている。下側周壁部６６は、その内周側において、下側の部分つまり開口端側の部分を、上側の小径部６６ｃに対して、内径を段差状に拡径させた大径部６６ｄとしている。
【００７５】
図９、図１５および図１６に示すように、ＶＢキャップ部材６２は、上面部６８と周壁部６９とにより形成されたキャップ本体部６７を有する。キャップ本体部６７は、下側を開放側とした凹状の空間６７ａをなす。空間６７ａは、主に、上面部６８の下面６８ａと、周壁部６９の内周壁面６９ａとにより形成されている。
【００７６】
ＶＢキャップ部材６２は、ＶＢ部５０における大気開放用の通気経路７０を形成する通気経路部７１を有する。通気経路部７１は、ＶＢキャップ部材６２において上面部６８の上側に設けられており、空間６７ａに連通する空間として、上面部６８の中央部から上方に向かうとともに右方向に向かう通気経路７０を形成する。通気経路部７１は、上面部６８の上側において左右方向を長手方向とする四角筒状の外形に沿うように突設されており、先端側を右方に向けて突出させている。
【００７７】
通気経路部７１は、通気経路７０を、突出先端側の開口部７２により外部に開口させ、ＶＢ部５０において空間６７ａにより形成される下側空間部５０ａを大気開放させている。ＶＢ部５０がタンク２６の右後側の角部に設けられた構成において、開口部７２は、タンク２６の右後側の角部の上方に位置している。通気経路部７１の先端部には、右側面視で前下側を頂角部とした略直角三角形状に沿う形状をなす板状の垂下部７３が形成されている。垂下部７３は、その右側の板面７３ａを、右方を向く開口部７２の開口端面７２ａと面一としている。
【００７８】
下側空間部５０ａについて説明する。下側空間部５０ａは、ＶＢ下部材６１がタンク２６に取り付けられることで形成されている。タンク２６は、ＶＢ下部材６１の取付けを受ける部分として、天面部５３において上方に向けて円筒状に突出したボス状開口部７５を有する（図９参照）。ボス状開口部７５は、その内周壁面により、上下方向を筒軸方向とする筒状の開口７５ａを形成する部分であり、タンク２６の内部空間２６ｓを上方に向けて開口させている。
【００７９】
天面部５３において、ボス状開口部７５の基部の外周側には、円周形状の環状溝部７６が形成されている。環状溝部７６は、ボス状開口部７５が基端部に有する拡径部７５ｃと、拡径部７５ｃの外側に円周状に形成された周壁部７５ｄと、これらの間の底面部７５ｅとによって形成されている。
【００８０】
このようにボス状開口部７５を有するタンク２６に対し、ＶＢ下部材６１が、下側周壁部６６内にボス状開口部７５を嵌入させるとともに、下側周壁部６６の先端部を環状溝部７６に嵌合させた状態で、天面部５３に固定されている。ボス状開口部７５は、その先端部を、下側周壁部６６の小径部６６ｃ内に挿嵌させている。また、ボス状開口部７５は、その上端面部７５ｂを、隔壁部６３の下面６３ｂに対して下方に位置させた状態、つまり上端面部７５ｂと下面６３ｂとの間に間隔を隔てた状態で、下側周壁部６６内に挿嵌されている。
【００８１】
ＶＢ下部材６１は、ボルト７７により、２箇所でタンク２６に固定されている。具体的には、ＶＢ下部材６１において、本体部６４の外側に、ボルト７７を貫通させるボルト孔７８が形成されている。これに対し、タンク２６側においては、ボス状開口部７５の周囲である環状溝部７６の外側の部位に、上方に開口した雌ネジ部を形成する円筒状のボス部７９が上方に向けて突設されている。
【００８２】
そして、ボルト７７がＶＢ下部材６１のボルト孔７８を貫通するとともにボス部７９に螺挿されることで、ＶＢ下部材６１がタンク２６の天面部５３に固定される。ボルト７７による固定部は、平面視で本体部６４が沿う略円周形状の中心位置を介した右後側と左前側の２箇所に設けられている。なお、上述したように平面視で異形円周形状をなす上側周壁部６５は、ボルト７７に対する逃げの部分となる凹形状部を有する。
【００８３】
また、ボス状開口部７５と下側周壁部６６との嵌合部においては、Ｏリング８０が介装されている。Ｏリング８０は、ボス状開口部７５に対して拡径部７５ｃの上側に外嵌されており、ボス状開口部７５の外周面と下側周壁部６６の大径部６６ｄの内周面との間に介在している。Ｏリング８０により、下側空間部５０ａが密閉された状態となる。
【００８４】
このような構成により、主に、ボス状開口部７５の上端面部７５ｂと、下側周壁部６６の小径部６６ｃの内周面と、隔壁部６３の下面６３ｂとにより、下側空間部５０ａが形成されている。下側空間部５０ａは、比較的狭い扁平な空間部分である。下側空間部５０ａに対しては、タンク２６の内部空間２６ｓが、ボス状開口部７５の開口７５ａによって上方に臨んで開口している。
【００８５】
上側空間部５０ｂについて説明する。上側空間部５０ｂは、ＶＢ下部材６１とＶＢキャップ部材６２により形成されている。ＶＢキャップ部材６２は、その周壁部６９において、ＶＢ下部材６１の上側周壁部６５と開口側の端面部同士を整合させる形状・寸法を有する。つまり、ＶＢキャップ部材６２の周壁部６９は、その底面視形状を、上側周壁部６５の平面視形状に対応した異形円周形状としている。
【００８６】
ＶＢキャップ部材６２の周壁部６９の下端面部には、周壁部６９の全周にわたって、下方に向けて突出した突条部６９ｄが形成されている。これに対し、ＶＢ下部材６１の上側周壁部６５の上端面部には、上側周壁部６５の全周にわたって溝部６５ｄが形成されている。
【００８７】
ＶＢ下部材６１とＶＢキャップ部材６２とは、下側周壁部６６と周壁部６９の開口側の端面部同士を合わせることで、突条部６９ｄと溝部６５ｄとを嵌合させ、その嵌合作用によって水平方向について位置決めされた状態で、互いに固定されている。これにより、ＶＢ下部材６１およびＶＢキャップ部材６２によって一体的なＶＢ部５０のハウジングが構成されている。なお、ＶＢ下部材６１とＶＢキャップ部材６２とは、接着剤を用いた接着固定等の所定の方法により互いに密閉状に固定されている。
【００８８】
このような構成により、主に、隔壁部６３の上面６３ａと、ＶＢ下部材６１の上側周壁部６５の内周壁面６５ｂと、ＶＢキャップ部材６２の周壁部６９の内周壁面６９ａおよび上面部６８の下面６８ａとにより、上側空間部５０ｂが形成されている。つまり、上側空間部５０ｂは、上側周壁部６５の上側空間６５ａと、ＶＢキャップ部材６２の空間６７ａとが合わさった空間部分である。上側空間部５０ｂに対しては、その上部に、通気経路部７１により形成された通気経路７０が連通している。
【００８９】
また、ＶＢ部５０は、ストレーナ８１と、整流板８２と、フロート８３とを有する。ストレーナ８１、整流板８２、およびフロート８３は、いずれも上側空間部５０ｂ内に設けられている。
【００９０】
ストレーナ８１は、平面状のメッシュ部分であるストレーナ本体部８４と、ストレーナ本体部８４の周囲に設けられた周壁部８５とを有する。ストレーナ本体部８４は、周壁部８５に対して高さ方向の中間部に設けられている。したがって、ストレーナ８１は、断面視で扁平な略「Ｈ」状をなすように形成されている（図８参照）。ストレーナ本体部８４においては、互いに直交した直線状のリブ部８４ａが設けられている。
【００９１】
周壁部８５は、ＶＢ下部材６１の上側周壁部６５の内周壁面６５ｂの形状に沿った形状を有する。これにより、ストレーナ８１は、周壁部８５を、上側周壁部６５の内周壁面６５ｂに沿わせ、上側周壁部６５の上側空間６５ａ内に嵌った状態で設けられている。
【００９２】
整流板８２は、ストレーナ８１の上側に設けられている。整流板８２は、上側周壁部６５の内周壁面６５ｂの平面視形状に沿った形状を有する板状の部材であり、その略中央部に、円形状の通水孔８２ａを有する。整流板８２は、その外周縁部を、ＶＢ下部材６１の上側周壁部６５の上端部の内周側の部分と、ＶＢキャップ部材６２の周壁部６９の下端部の内周側の部分とによって挟持させることで、位置決めされた状態で設けられている。
【００９３】
整流板８２においては、通水孔８２ａの周囲に、フロート８３を下側から支持するための支持突起８２ｂが形成されている。支持突起８２ｂは、通水孔８２ａの円周形状に沿うように平面視で円弧状に沿う突条部分であり、円周方向について略等間隔で４箇所に設けられている。
【００９４】
フロート８３は、整流板８２の上側に設けられている。フロート８３は、その上部をなす部分であって十字状の横断面形状を有する本体部８３ａと、本体部８３ａの下側に形成された拡径状の部分であって略円板状の外形を有するフランジ部８３ｂとを有し、全体として縦断面視で略ハット形状をなす。つまり、本体部８３ａは、フランジ部８３ｂの上側において上方への突出部分となっている。
【００９５】
フランジ部８３ｂの下側には、フランジ部８３ｂの外形に沿うように円形状をなす凹部８３ｃが形成されている。凹部８３ｃは、フロート８３の下端面に対して上方に位置する水平面である底面８３ｄを有する。
【００９６】
フロート８３は、本体部８３ａを、ＶＢキャップ部材６２の空間６７ａの上側に連続した空間部分である上空間部６２ａ内に位置させるとともに、凹部８３ｃの形成範囲内に整流板８２の支持突起８２ｂを位置させた状態で、昇降可能に設けられている。上空間部６２ａは、ＶＢキャップ部材６２の通気経路部７１の通気経路７０の基端側に連通する略円筒状の空間部分であり、空間６７ａに臨むように下方に向けて円形状に開口している。上空間部６２ａを介して、上側空間部５０ｂと通気経路７０とが連通している。
【００９７】
フロート８３は、通常、凹部８３ｃの底面８３ｄに支持突起８２ｂの接触を受けた状態で、整流板８２上に支持されている。そして、フロート８３は、支持突起８２ｂ上に着座した状態から、整流板８２の通水孔８２ａに下側から流入する水の圧力を受けることで上昇する。ＶＢキャップ部材６２においては、上昇したフロート８３の接触を受ける部分として、突起部６２ｂが形成されている。突起部６２ｂは、上空間部６２ａの下側の開口部の周囲においてその開口形状に沿って円環状の突条部分として形成されている。突起部６２ｂは、上昇したフロート８３のフランジ部８３ｂの上面に当接する。
【００９８】
以上のような構成を備えたＶＢ部５０は、下側空間部５０ａから所定の外部装置に水を供給するための流出口９１と、外部装置を経た水を上側空間部５０ｂに流入させるための流入口９２と、上側空間部５０ｂから吐水部に水を供給するための外部流出口９３とを有する（図８、図１６参照）。流出口９１は、下側空間部５０ａをなす部分に設けられており、流入口９２および外部流出口９３は、上側空間部５０ｂをなす部分に設けられている。すなわち、ＶＢ部５０は、下側空間部５０ａをなす部分に、ＶＢ部５０の外部に設けられた所定の外部装置に水を供給するための流出口９１を有し、上側空間部５０ｂをなす部分に、外部装置からの水を流入させる流入口９２、およびノズルユニット１５へと水を供給するための外部流出口９３を有する。
【００９９】
本実施形態では、流出口９１によって下側空間部５０ａからの水が供給される外部装置は、所定の機能水を生成する電解槽２３である。電解槽２３は、略矩形厚板状の偏平な外形をなし一対の電極等を収容するケース体本体部１０１と、ケース体本体部１０１の長手方向の一側に設けられた流入口部１０２と、同長手方向の他側に設けられた流出口部１０３とを有する。ケース体本体部１０１、流入口部１０２、および流出口部１０３は、例えば共通の部材によって一体に形成されている。電解槽２３は、流入口部１０２からケース体本体部１０１内に流入した水を電極間にて電気分解することで機能水を生成し、流出口部１０３から排出する。
【０１００】
流入口部１０２は、流入側の接続管部として、筒状に形成された流入管部１０２ａを有する。流入管部１０２ａは、ケース体本体部１０１において略矩形板状の部分とともに鈍角状をなすように形成された傾斜ケース部１０１ａの先端部から、ケース体本体部１０１の板面に沿うようにケース体本体部１０１の長手方向の一側に向けて突設されている。
【０１０１】
流出口部１０３は、ケース体本体部１０１に対して一方の板面側から筒状に突出した筒状突部１０３ａと、筒状突部１０３ａから突設された流出管部１０３ｂとを有する。流出管部１０３ｂは、略筒状に形成された部分であり、ケース体本体部１０１の長手方向の外方に向けて突出した流出側の接続管部である。
【０１０２】
本実施形態に係る衛生洗浄装置２における電解槽２３の配置構成について説明する。図６等に示すように、電解槽２３は、ＶＢ部５０の左方の位置に設けられている。また、電解槽２３は、流入口部１０２を左側、流出口部１０３を右側に位置させ、ケース体本体部１０１の長手方向を左右方向に沿わせるような姿勢で設けられている。また、電解槽２３は、略矩形厚板状の外形を有するケース体本体部１０１の板面が前下がりの傾斜面となるように、傾斜状に設けられている。
【０１０３】
電解槽２３は、タンク２６およびＶＢ部５０との関係において、次のような態様で配設されている。電解槽２３は、前後方向について、タンク２６の後端部の上側に配置されている。電解槽２３は、平面視において、タンク２６に対し、凹形状部５４の後部がなす傾斜状の外形線を左右方向に横切るように配置されている。
【０１０４】
電解槽２３は、平面視において、その長手方向の略右半部を、凹形状部５４により形成されたタンク２６の右側部分における後側への突出形状部の上方近傍に位置させている。言い換えると、電解槽２３は、凹形状部５４により、平面視において、長手方向の略左半部を、タンク２６の外形の範囲外に位置させている。つまり、電解槽２３は、平面視において、左側の大部分を、タンク２６の外形の範囲外に位置させている。
【０１０５】
また、電解槽２３は、上下方向について、ケース体本体部１０１の略全体を、ＶＢ下部材６１と略同じ高さ位置に位置させるように設けられている。また、電解槽２３は、ケース体本体部１０１の長手方向を水平方向に沿わせるような姿勢で設けられている。すなわち、電解槽２３は、タンク２６の天面部５３の上側に設けられたＶＢ下部材６１に対し、左方に向けて突出するように設けられており、タンク２６の直上の位置においてタンク２６に対して略全体を浮かせた状態（離間させた状態）で設けられている。
【０１０６】
以上のように、電解槽２３は、平面視で、少なくとも一部を、熱交換器２２のタンク２６の外形範囲の外側に位置させるように設けられている。特に、本実施形態では、電解槽２３は、その左側の過半部を、熱交換器２２の外形範囲の外側に位置させている。つまり、平面視における電解槽２３の投影面積の大部分が、タンク２６の外形範囲内の外側に位置している。
【０１０７】
一方、電解槽２３は、平面視において、その全体を、タンク２６に凹形状部５４が形成されていない場合に仮想されるタンク２６の略矩形状の外形（図３、図５、二点鎖線で示す仮想線Ｘ１参照）の範囲内に位置させている。すなわち、電解槽２３は、前後方向については、タンク２６の後縁部よりも前側に位置しており、左右方向については、タンク２６の左縁部よりも左右内側（右側）に位置しており、タンク２６の全体の前後幅および左右幅の範囲内に位置している。
【０１０８】
また、電解槽２３においては、ケース体本体部１０１内の各電極に電気的に接続された配線１０４ａ，１０４ｂが、ケース体本体部１０１から外部に延出している。一方の電極に接続された配線１０４ａは、ケース体本体部１０１の左側端部においてケース体本体部１０１の前側（上側）から延出している。他方の電極に接続された配線１０４ｂは、ケース体本体部１０１の右側端部においてケース体本体部１０１の後側（下側）から延出している。２本の配線１０４ａ，１０４ｂは、コネクタ１０５等を介して制御部１０に接続されている。
【０１０９】
次に、ＶＢ部５０と電解槽２３との間の流路構成、およびＶＢ部５０から下流側への流路構成について説明する。上述したようにＶＢ部５０において、下側空間部５０ａに流出口９１を有し、上側空間部５０ｂに流入口９２および外部流出口９３を有する構成においては、次のような流路が設けられている。すなわち、ＶＢ部５０の流出口９１から電解槽２３への給水流路である第１の流路１１１、電解槽２３からＶＢ部５０の流入口９２への戻り流路である第２の流路１１２、およびＶＢ部５０の外部流出口９３からノズルユニット１５への給水流路である第３の流路１１３が設けられている。
【０１１０】
第１の流路１１１について説明する。第１の流路１１１は、流出口９１により、ＶＢ部５０の下側空間部５０ａ内の水を、電解槽２３へと導く流路である。つまり、流出口９１は、下側空間部５０ａから電解槽２３へと水を供給するための開口部である。
【０１１１】
流出口９１は、ＶＢ下部材６１の下側周壁部６６において、上側の小径部６６ｃの内周面の左側の部位に円形状に開口している（図８、図１２参照）。流出口９１は、ＶＢ下部材６１において下側周壁部６６から左方に向けて直線状に形成された流出流路の、下側空間部５０ａ（下側空間６６ａ）内に臨む開口部である。
【０１１２】
ＶＢ下部材６１は、下側周壁部６６から左方に向かう流出流路を形成する部分として、下側周壁部６６から左方に向けて直線状に突出した管状の接続管部９５を有する。つまり、接続管部９５は、ＶＢ下部材６１の本体部６４から左方に向けて水平方向沿って直線状に延び、その基端側を、流出口９１として下側空間部５０ａ（下側空間６６ａ）内に開口させている。接続管部９５は、前後方向については、本体部６４の略中央部となる位置に設けられている。なお、隔壁部６３の下面６３ｂにおける流出口９１の近傍には、流出口９１の開口端面の面積を広げるように凹部６３ｃが形成されている。
【０１１３】
接続管部９５には、第１の流路１１１を構成する電解槽給水用チューブ１１５の一側（上流側）の端部が連通接続されている。電解槽給水用チューブ１１５は、その上流側の端部内に接続管部９５を挿入させ、緊結バンド等の固定具１１６ａによって接続管部９５に固定されている。電解槽給水用チューブ１１５の他側（下流側）の端部は、電解槽２３の流入管部１０２ａに連通接続されている。電解槽給水用チューブ１１５は、その下流側の端部内に流入管部１０２ａを挿入させ、緊結バンド等の固定具１１６ｂによって流入管部１０２ａに固定されている。
【０１１４】
電解槽給水用チューブ１１５は、ＶＢ部５０が設けられたタンク２６の天面部５３上から左方に向けて延出され、凹形状部５４をなすタンク２６の後側の壁面部に沿うように左斜め下方に向けて一旦下降するように湾曲した後上昇し、背面視でフック状をなすように折り返して下流側の端部を右側に向け、左方に向けて突設された流入管部１０２ａに接続されている。そして、電解槽給水用チューブ１１５は、電解槽２３と同様に、平面視において、タンク２６に凹形状部５４が形成されていない場合に仮想されるタンク２６の略矩形状の外形（図３、図５、仮想線Ｘ１参照）の範囲内に全体が位置するように配されている。
【０１１５】
第２の流路１１２について説明する。第２の流路１１２は、流入口９２により、電解槽２３から流出した水を、ＶＢ部５０の上側空間部５０ｂ内へと導く流路である。つまり、流入口９２は、電解槽２３を経た水を上側空間部５０ｂに流入させるための開口部である。
【０１１６】
流入口９２は、ＶＢ下部材６１の隔壁部６３および上側周壁部６５において、左後側の部位に開口している。（図８、図１０参照）。流入口９２は、隔壁部６３の上面６３ａから上側周壁部６５の内周壁面６５ｂにわたる範囲で形成されている。つまり、流入口９２は、隔壁部６３から上側に臨む開口部と上側周壁部６５から側方（右側）に臨む開口部とが合わさった開口部である。このため、隔壁部６３の左後側の部位には、流入口９２の一部を形成する凹陥部６３ｄが形成されている。流入口９２は、ＶＢ下部材６１において上側周壁部６５から左方に向けて直線状に形成された流入流路の、上側空間部５０ｂ（上側空間６５ａ）内に臨む開口部である。
【０１１７】
また、上側空間部５０ｂに対する流入口９２を形成するため、上側空間部５０ｂ内に設けられたストレーナ８１において、周壁部８５に切欠部８５ａが形成されている。切欠部８５ａは、流入口９２の形成部位に対応するように、周壁部８５の左後側の部位であって、周壁部８５のストレーナ本体部８４よりも下側の部分に形成されている。つまり、流入口９２は、ストレーナ本体部８４よりも下側の位置に開口している。
【０１１８】
ＶＢ下部材６１は、上側周壁部６５から左方に向かう流入流路を形成する部分として、上側周壁部６５から左方に向けて直線状に突出した円筒状の差込口部９７を有する。つまり、差込口部９７は、ＶＢ下部材６１の本体部６４から左方に向けて左右方向を筒軸方向とした筒状部として水平方向に突出し、その基端側を、流入口９２として上側空間部５０ｂ（上側空間６５ａ）内に開口させている。差込口部９７は、前後方向については、本体部６４の後部となる位置に設けられている。
【０１１９】
差込口部９７には、電解槽２３のケース体本体部１０１に設けられた流出管部１０３ｂが連通接続されている。差込口部９７は、流出管部１０３ｂの差込みを受けることで、流出管部１０３ｂに接続されている（図１９参照）。
【０１２０】
流出管部１０３ｂは、差込口部９７との間における凹凸嵌合等の所定の係合形状により、差込口部９７に差し込まれた状態で水密状に連結固定されている。具体的には、図１９に示すように、流出管部１０３ｂにおいては、その外周面部に、周方向に沿う突条部１０３ｃが周方向について部分的に形成されている。これに対し、差込口部９７側には、突条部１０３ｃを嵌合させる長孔状の開口部９７ａが周方向に沿って形成されている。流出管部１０３ｂは、差込口部９７に差し込まれるとともに突条部１０３ｃを開口部９７ａに嵌合させることで、差込口部９７に係合固定された状態となっている。
【０１２１】
このように、第２の流路１１２において、電解槽２３は、ＶＢ部５０に対して直接的に連結されている。すなわち、電解槽２３は、そのケース体本体部１０１と一体に形成された流出口部１０３の流出管部１０３ｂを、ＶＢ部５０のハウジングを構成するＶＢ下部材６１の一部として形成された差込口部９７に対して挿入嵌合することで、チューブ等の配管部材を介することなく、ＶＢ部５０に直接連通接続されている。
【０１２２】
このような構成によれば、電解槽２３は、ＶＢ部５０のＶＢ下部材６１に対して片持ち支持の態様で支持され、ＶＢ部５０から左方に向けて水平状に突設された状態となっている。このように、電解槽２３は、ＶＢ部５０のハウジングに対して一体的な部分として配置支持されている。
【０１２３】
第３の流路１１３について説明する。第３の流路１１３は、外部流出口９３により、ＶＢ部５０の上側空間部５０ｂ内の水を、ノズルユニット１５へと導く流路である。つまり、外部流出口９３は、上側空間部５０ｂから吐水部を有するノズルユニット１５に水を供給するための開口部である。
【０１２４】
外部流出口９３は、ＶＢキャップ部材６２の周壁部６９の内周面の右前側の部位に円形状に開口している（図１６参照）。外部流出口９３は、ＶＢキャップ部材６２において周壁部６９から右斜め前方に向けて直線状に形成された流出流路の、上側空間部５０ｂ（空間６７ａ）内に臨む開口部である。
【０１２５】
ＶＢキャップ部材６２は、周壁部６９から右斜め前方に向かう流出流路を形成する部分として、周壁部６９から右斜め前方に向けて直線状に突出した管状の送出管部９９を有する。つまり、送出管部９９は、ＶＢキャップ部材６２のキャップ本体部６７から右斜め前方に向けて直線状に延び、その基端側を、外部流出口９３として上側空間部５０ｂ（空間６７ａ）内に開口させている。送出管部９９は、その先端部に、縮径状の接続管部９９ａを有する。なお、上面部６８の内側面（下側面）における外部流出口９３の近傍には、外部流出口９３の開口端面の面積を広げるように凹部６８ｂが形成されている。
【０１２６】
送出管部９９には、第３の流路１１３を構成するノズル給水用チューブ１１７の一側（上流側）の端部が連通接続されている。ノズル給水用チューブ１１７は、その上流側の端部内に送出管部９９の接続管部９９ａを挿入させた状態で送出管部９９に固定されている。ノズル給水用チューブ１１７の他側（下流側）は、ノズルユニット１５の流路切替弁３３に対して連通接続されている。なお、ノズル給水用チューブ１１７は、送出管部９９の突出方向に沿って右斜め前方に向かってから後方に向けて湾曲状に折り返し、ノズルユニット１５の後部に向かうように配されている。
【０１２７】
以上のような流路構成による熱交換器２２からノズルユニット１５までの水の流れについて説明する。図１８に示すように、熱交換器２２からノズルユニット１５までの水の流れは、熱交換器２２→ＶＢ部５０の下側空間部５０ａ→電解槽２３→ＶＢ部の上側空間部５０ｂ→ノズルユニット１５の順となる。詳細には次のとおりである。
【０１２８】
図１８に示すように、まず、熱交換器２２のタンク２６内の水は、ＶＢ部５０の下側空間部５０ａへと供給される（矢印Ｆ０参照）。すなわち、図８に示すように、タンク２６に対する給水によってタンク２６内の水位が上昇することで、タンク２６内の水が、ボス状開口部７５の開口７５ａから下側空間部５０ａ内に流入する（矢印Ａ１参照）。
【０１２９】
下側空間部５０ａ内の水は、第１の流路１１１により、電解槽２３へと供給される（図１８、矢印Ｆ１参照）。すなわち、図７に示すように、下側空間部５０ａ内の水は、流出口９１から接続管部９５による流出流路によって流出し（図７、矢印Ａ２参照）、電解槽給水用チューブ１１５内を通って、流入口部１０２から電解槽２３内へと供給される。ここで、ＶＢ部５０の下側空間部５０ａ内からの左方への水の流出方向は、接続管部９５の突出方向にならって水平方向となっている（図１３参照）。
【０１３０】
電解槽２３から流出する水は、第２の流路１１２により、ＶＢ部５０の上側空間部５０ｂへと供給される（図１８、矢印Ｆ２参照）。すなわち、図７に示すように、電解槽２３内の水は、流出口部１０３の突条部１０３ｃと差込口部９７との接続部分を介して、流入口９２から上側空間部５０ｂ内に流入する（図７、矢印Ａ３参照）。このように、第１の流路１１１がＶＢ部５０から電解槽２３に対する給水流路であるのに対し、第２の流路１１２は、電解槽２３からＶＢ部５０への戻り流路となる。ここで、ＶＢ部５０の上側空間部５０ｂ内への右方への水の流入方向は、差込口部９７の突出方向にならって水平方向となっている（図１３参照）。つまり、ＶＢ部５０の下側空間部５０ａ内からの左方への水の流出方向と、ＶＢ部５０の上側空間部５０ｂ内への右方への水の流入方向は、いずれも左右方向に沿う水平方向であり、互いに平行となっている。
【０１３１】
流入口９２から上側空間部５０ｂ内に流入した水は、ストレーナ８１のストレーナ本体部８４を通過し、整流板８２の通水孔８２ａを通り抜け、水圧によってフロート８３を押し上げ、上側空間部５０ｂにおける整流板８２の上側の空間内に流入する（図８、矢印Ａ４参照）。ここで、フロート８３は、上昇することで整流板８２の支持突起８２ｂから離間し、ＶＢキャップ部材６２の突起部６２ｂに接触することになる。
【０１３２】
上側空間部５０ｂにおける整流板８２の上側の空間内に流入した水は、第３の流路１１３により、ノズルユニット１５へと供給される（図１８、矢印Ｆ３参照）。すなわち、図７に示すように、上側空間部５０ｂ内の水は、外部流出口９３から送出管部９９による流出流路によって流出し（矢印Ａ５参照）、ノズル給水用チューブ１１７内を通って、ノズルユニット１５へと供給される。第３の流路１１３によってノズルユニット１５に供給された水は、流路切替弁３３を介して、局部洗浄ノズル３１あるいはノズル洗浄室３２に供給される。
【０１３３】
以上のように、本実施形態に係る衛生洗浄装置２は、タンク２６と一体的に設けたＶＢ部５０において、そのハウジング内の空間を隔壁部６３によって上下に区画し、隔壁部６３の下側の下側空間部５０ａを、タンク２６から電解槽２３への経路に介在させ、隔壁部６３の上側の上側空間部５０ｂを、電解槽２３からノズルユニット１５への経路に介在させている。つまり、ＶＢ部５０の内部空間が、隔壁部６３により、タンク２６からの給水を受けるとともに電解槽２３へとつながる部屋と、電解槽２３からの給水を受けるとともにノズルユニット１５へとつながる部屋とに分割されている。
【０１３４】
このように、衛生洗浄装置２は、タンク２６とノズルユニット１５との間の流路構成として、タンク２６からＶＢ部５０に流入した水をＶＢ部５０から一度外部へと流出させ、電解槽２３を通過させた後、再度ＶＢ部５０に戻してから、ノズルユニット１５側へと供給するという構成を備える。このような構成においては、ＶＢ部５０における隔壁部６３よりも上側の部分、つまり上側空間部５０ｂをなす部分が、本来的なバキュームブレーカ２４として機能する部分となる。
【０１３５】
次に、衛生洗浄装置２が備えるＶＢ部５０からの排水流路（以下「ＶＢ排水流路」という。）の構成について説明する。ＶＢ排水流路は、ＶＢ部５０の上部に設けられた通気経路部７１の開口部７２から排出された水を所定の場所に導くための流路である。通気経路部７１は、通常は水路としては機能せず、例えば異常時において少量の水が開口部７２から滴下するように排出される。
【０１３６】
このように、ＶＢ部５０は、タンク２６の上方の位置に排水口として機能する開口部７２を有する。つまり、本実施形態では、ＶＢ部５０の上側に設けられた通気経路部７１の開口部７２が、ＶＢ部５０のオーバーフロー時等の異常時の排水口として機能する。そして、タンク２６は、開口部７２から排出された水を所定の位置に導く排水流路部として、タンク側排水流路部１３０を有する。
【０１３７】
特に、本実施形態では、ＶＢ部５０に設けられた通気経路部７１の開口部７２と、タンク２６に設けられたタンク側排水流路部１３０との間に、ＶＢ部５０に設けられたＶＢ側排水流路部１２０が介在している。つまり、本実施形態のＶＢ排水流路は、その上流側の部分をなすＶＢ側排水流路部１２０と、ＶＢ排水流路の下流側の部分をなすタンク側排水流路部１３０とを有する。ＶＢ排水流路は、全体として、開口部７２から滴下した水が重力によって流れるように形成されている。
【０１３８】
ＶＢ側排水流路部１２０は、ＶＢ部５０を構成するＶＢ下部材６１の一部として、本体部６４の右側に設けられており、本体部６４の右側から前側にかけて前下がり状の傾斜流路を形成している。ＶＢ側排水流路部１２０は、流路方向に沿って形成された底面部１２１と、底面部１２１を囲むように形成された側壁面部１２２とを有し、これらの部分によって全体的に樋状に構成されている。
【０１３９】
ＶＢ側排水流路部１２０は、平面視の形状部分として、ＶＢ側排水流路部１２０の後側（上流側）の部分である直線状の上流側流路部１２３と、ＶＢ側排水流路部１２０の前側（下流側）の部分である湾曲状の下流側流路部１２４とを有する。なお、上流側流路部１２３および下流側流路部１２４は、滑らかに連続した傾斜状の底面部１２１をなすように互いに連続的に形成されている。
【０１４０】
上流側流路部１２３は、上側周壁部６５の右側において上側周壁部６５の円弧形状に対して後方に向けて接線状に突出した直線状の流路部分である。上流側流路部１２３は、開口部７２から排出されて落下する水を受ける部分となる。鉛直面をなす開口部７２の開口端面７２ａは、平面視において上流側流路部１２３の中央部に位置している。
【０１４１】
また、上流側流路部１２３においては、側壁面部１２２のうち後側および右側の壁部が上方に向けて延設され、他の部分よりも側壁面部１２２の高さを高くした延設壁部１２２ａ，１２２ｂが形成されている。延設壁部１２２ａ，１２２ｂは、その上端を、通気経路部７１の上面７１ａよりも高い位置に位置させ、開口部７２の開口位置よりも高くなるように形成されている。したがって、右側の延設壁部１２２ａは、開口部７２に対向するとともに、右側面視において、開口部７２の全体を覆っている。延設壁部１２２ａ，１２２ｂにより、開口部７２からの排水がＶＢ側排水流路部１２０から外部に流出したり飛散したりすることが防止されている。
【０１４２】
下流側流路部１２４は、上流側流路部１２３の前側において上側周壁部６５の円弧形状に沿うように平面視で円弧状に湾曲した曲線状の流路部分である。下流側流路部１２４は、その下流側の端部を、上側周壁部６５の右斜め前側に位置させている。また、下流側流路部１２４は、上流側流路部１２３に対して幅狭の流路として形成されている。
【０１４３】
下流側流路部１２４の下流側の端部には、上下方向に貫通した排出孔１２４ａが形成されている。排出孔１２４ａの下側には、側壁面部１２２が下方に延出された部分を含んで排出孔１２４ａを囲むように下方に向けて筒状に突出した筒状ガイド部１２５が形成されている。筒状ガイド部１２５の下側の開口部の右側には、水切用の板状の垂下部１２６が下方に向けて突設されている。なお、排出孔１２４ａは、ＶＢ下部材６１において送出管部９９の下方に位置している。
【０１４４】
タンク側排水流路部１３０は、下流側流路部１２４の排出孔１２４ａから流下した水を受け、受けた水を前側へと導き、タンク２６の右前側の角部近傍の位置からベースプレート５ａの略水平板状の底面部５ｃ上に落下させる。タンク側排水流路部１３０は、主にタンク２６の外形形状における角部ないし稜線部に沿うように形成されている。タンク側排水流路部１３０は、タンク２６を構成する樹脂部品の成形部分により形成されている。タンク側排水流路部１３０は、一連の流路を形成する水平流路部１３１、傾斜流路部１３２、および鉛直流路部１３３を有する。
【０１４５】
水平流路部１３１は、タンク２６の右上側の角部に沿うように形成されている。つまり、水平流路部１３１は、タンク２６の天面部５３の右側の縁部に沿って前後方向沿うように形成された流路部である。水平流路部１３１は、天面部５３の上面の右側の縁部において湾曲状に下り傾斜した右縁曲面部１３１ａと、タンク２６の右側の側面部２６ｂが上方に向けて板状に突設された上フランジ部１３１ｂとにより、溝状ないし樋状の流路部分として形成されている。水平流路部１３１は、わずかに前下がりに傾斜している。
【０１４６】
傾斜流路部１３２は、タンク２６の右前側の稜線に沿うように前下がりの傾斜状に形成されている。傾斜流路部１３２は、水平流路部１３１の右縁曲面部１３１ａと連続したタンク２６の外面により形成された流路底面１３２ａと、上フランジ部１３１ｂと連続した面部として前側に向けて板状に突設された前フランジ部１３２ｂと、前フランジ部１３２ｂの左側において前フランジ部１３２ｂと平行状に前側に向けて突設された前側壁部１３２ｃとにより、樋状の流路部分として形成されている。
【０１４７】
鉛直流路部１３３は、タンク２６の右前側の下端部の角部に沿うように鉛直状に形成されている。鉛直流路部１３３は、傾斜流路部１３２の流路底面１３２ａと連続した流路側面１３３ａと、前フランジ部１３２ｂと連続した面部として右側に向けて板状に突設された下後側フランジ部１３３ｂと、前側壁部１３２ｃと連続した面部として右側に向けて板状に突設された下前側フランジ部１３３ｃとにより、樋状の流路部分として形成されている。タンク側排水流路部１３０の終端をなす鉛直流路部１３３の下端部は、ベースプレート５ａの底面部５ｃの近傍位置まで延設されている。
【０１４８】
以上のようなＶＢ排水流路によれば、上側空間部５０ｂ内の水がオーバーフローして通気経路部７１の通気経路７０内を通って開口部７２から排出された場合（図２０、矢印Ｂ１，Ｂ２，Ｂ３参照）、の開口部７２から排出された水は、ＶＢ側排水流路部１２０の上流側流路部１２３上に滴下し、ＶＢ側排水流路部１２０内を流れる（図７、矢印Ｂ４参照）。ＶＢ側排水流路部１２０を流れた水は、ＶＢ側排水流路部１２０の終端の下流側流路部１２４から、タンク側排水流路部１３０の水平流路部１３１上に流れ落ちる（図２０、矢印Ｂ５参照）。
【０１４９】
水平流路部１３１上に流れ落ちた水は、水平流路部１３１を前側に流れ、傾斜流路部１３２を経て、鉛直流路部１３３により、ベースプレート５ａの底面部５ｃ上に流れ落ちる。底面部５ｃ上に流れ落ちた水は、例えば、底面部５ｃ上を伝ってケーシング５の外部へと排出され、便器３のボウル部３ａへと排出される。なお、ＶＢ排水流路、特にタンク側排水流路部１３０は、タンク２６の表面に付着した結露水に対しても、水を所定の場所に導くガイド流路として機能する。
【０１５０】
また、本実施形態のＶＢ下部材６１においては、上側周壁部６５の左前側に、フロートスイッチ５５の信号線５５ａに設けられたケースカバー５ｂを支持するコネクタ支持部８８が設けられている。コネクタ支持部８８は、略四角筒状のコネクタ５５ｂを、前後方向を長手方向として水平状に支持するように、コネクタ５５ｂの差込口を形成している。コネクタ支持部８８は、ＶＢ下部材６１の一部として、接続管部９５の上側に形成されている。
【０１５１】
以上説明した本実施形態に係る衛生洗浄装置２によれば、熱交換器２２からＶＢ部５０を経て局部洗浄ノズル３１等の吐水部までの流路構成を簡単なものとすることができ、装置のコンパクト化を図ることができる。
【０１５２】
すなわち、本実施形態に係る衛生洗浄装置２は、ＶＢ部５０において、隔壁部６３により、タンク２６からの給水を受けるとともに電解槽２３へと連通する下側空間部５０ａと、電解槽２３からの給水を受けるとともにノズルユニット１５へと連通する上側空間部５０ｂとを形成した構成を備える。このような構成によれば、ＶＢ部５０から一旦流出させた水を、電解槽２３を通過させた後に再度ＶＢ部５０内に戻すことができる。したがって、タンク・ＶＢ一体構成において、バキュームブレーカ２４としての機能部分を有するＶＢ部５０から延設される配管部材（ノズル給水用チューブ１１７）をノズルユニット１５側に接続させることができる。つまり、タンク・ＶＢ一体構成において、機能的な面で熱交換器２２→電解槽２３→バキュームブレーカ２４→ノズルユニット１５の順の流路構成を実現することができる。
【０１５３】
これにより、タンク・ＶＢ一体構成において、熱交換器２２からノズルユニット１５に至る流路の統一化を図ることができるので、例えば、電解槽２３からノズルユニット１５への流路をチューブ等の配管部材によって別途設けることや、熱交換器２２への給水および電解槽２３への給水を選択的に切り替えるための三方弁等の構成を設けることを不要とすることができる。結果として、流路構成の簡略化、省スペース化、および装置の小型化を図ることができる。特に、装置の小型化が進むにしたがい、ケーシング５内における各種装置・機器は入り組んだ状態となり、局部洗浄ノズル３１の進退動作にともなって移動するチューブ等の配管部材の動きを制御することは困難となるため、ノズルユニット１５に対する流路構成の簡略化は、装置の小型化に大きく貢献する。
【０１５４】
また、本実施形態に係る衛生洗浄装置２は、ＶＢ部５０に対する往復経路内に設ける外部装置を電解槽２３とし、電解槽２３を、平面視で少なくとも一部がタンク２６の外形範囲の外側に位置する態様で設けている。
【０１５５】
このような構成によれば、熱交換器２２の熱が電解槽２３に伝わることを抑制することができ、電解槽２３において流路を詰まらせる原因となるスケールが発生することを抑制することができる。すなわち、電解槽２３が熱交換器２２のタンク２６に対して全面的に対向した状態で近接配置された構成においては、ヒータ２７により加熱された温水を貯溜したタンク２６の熱が電解槽２３に伝わりやすくなる。電解槽２３が温められると、水中の塩類が析出しやすくなり、スケールが発生しやすくなる。そこで、上述のとおり電解槽２３をタンク２６に対して平面視で部分的に重ならないように配置することにより、電解槽２３においてタンク２６に対向する部分の面積が小さくなるため、タンク２６の熱が電解槽２３に伝達されることを抑制することが可能となり、スケールの発生を抑制することができる。
【０１５６】
特に、本実施形態では、電解槽２３は、加熱源であるヒータ２７が配置されたタンク２６の底部に対して離れた位置であるタンク２６の上方の位置において、しかも、タンク２６に対してケース体本体部１０１の全体または略全体を浮かせた状態で設けられている。このような構成によれば、電解槽２３がタンク２６の熱の影響を受けにくくなるため、タンク２６の熱が電解槽２３に伝わることを効果的に抑制することができ、電解槽２３におけるスケールの発生を効果的に抑制することができる。このような効果を得る観点からは、電解槽２３は、少なくともケース体本体部１０１の過半部をタンク２６から浮かせた状態（離間させた状態）で設けられることが好ましい。
【０１５７】
また、本実施形態に係る衛生洗浄装置２においては、電解槽２３が、ＶＢ部５０に対して直接的に連結されている。具体的には、電解槽２３が、その流出管部１０３ｂを、ＶＢ部５０を構成するＶＢ下部材６１の差込口部９７に対して差し込んだ状態で、ＶＢ部５０に直接取り付けられている。
【０１５８】
このような構成によれば、電解槽２３とＶＢ部５０との間の流路を構成するためのチューブ等の配管部材を不要にすることができる。これにより、省スペース化を図ることができ、効果的に装置のコンパクト化を図ることができるとともに、部品点数を少なくすることができ、コストを削減することが可能となる。
【０１５９】
また、本実施形態に係る衛生洗浄装置２は、ＶＢ部５０からの排水構造として、タンク２６の上方に位置する排水口としての開口部７２を有し、タンク２６において、開口部７２からの排水を導くタンク側排水流路部１３０を有する。
【０１６０】
このような構成によれば、チューブ等の配管部材を必要とせず、ＶＢ部５０からの異常時における排水やタンク２６の表面の結露水を、所定の場所に導くことが可能となる。これにより、省スペース化を図ることができ、効果的に装置のコンパクト化を図ることができるとともに、部品点数を少なくすることができ、コストを削減することが可能となる。
【０１６１】
また、タンク側排水流路部１３０によれば、ＶＢ部５０の開口部７２からの排水やタンク２６の表面の結露水を狙った位置に導くことができ、ケーシング５内において、ＶＢ部５０の開口部７２からの排水が、ＶＢ部５０の近傍に配置された装置・機器といった他の部品にかかることを防止することができる。これにより、ＶＢ部５０からの排水が他の部品にかかることによる不具合（例えば電気部品の故障等）を防止することができる。
【０１６２】
特に、本実施形態の衛生洗浄装置２は、ＶＢ排水流路の構成として、タンク側排水流路部１３０に加え、その上流側に設けられたＶＢ側排水流路部１２０を有する。このような構成によれば、ＶＢ部５０からの排水を確実に所定の場所に導くことが可能となり、他の部品に水がかかることを効果的に抑制することができる。
【０１６３】
また、ＶＢ側排水流路部１２０は、開口部７２の開口位置近傍を覆う延設壁部１２２ａ，１２２ｂを有することから、開口部７２からの排水が飛散することを防ぐことができ、他の部品に水がかかることを効果的に抑制することができる。特に、衛生洗浄装置２の小型化が進むにしたがい、ケーシング５内における各種装置・機器の密集度が高くなるため、ＶＢ部５０からの排水が他の部品にかかることを避けることは重要である。
【０１６４】
また、ＶＢ側排水流路部１２０は、ＶＢ部５０を構成するＶＢ下部材６１の一部として設けられている。このような構成によれば、部品点数を少なくすることができ、コストを削減することが可能となる。
【０１６５】
また、本実施形態に係る衛生洗浄装置２においては、ＶＢ部５０に対する流路が、ＶＢ部５０の下側空間部５０ａからの流出方向、および上側空間部５０ｂに対する流入方向がいずれも水平方向に沿うように構成されている。このような構成によれば、ＶＢ部５０に対する流路を構成する部材がＶＢ部５０よりも高い位置に設けられることを避けることができ、衛生洗浄装置２のケーシング５の高さを抑えることが可能となる。このことは、装置のコンパクト化に寄与する。
【０１６６】
また、本実施形態に係る衛生洗浄装置２によれば、電解槽２３を備えない構成に対しても、電解槽２３の有無によらず、ＶＢ部５０からノズルユニット１５への流路構成を共通設計とすることが可能となる。すなわち、電解槽２３を備えない構成の場合は、電解槽２３とともに電解槽２３とＶＢ部５０の間の流路を省略するとともに隔壁部６３を省略することにより、熱交換器２２→バキュームブレーカ２４→ノズルユニット１５の順の流路構成を、本実施形態に係る衛生洗浄装置２と同様の配管構成を用いて実現することが可能となる。これにより、コストの削減および装置の小型化を達成することができる。
【０１６７】
以上のように実施形態を用いて説明した本発明に係る衛生洗浄装置は、上述した実施形態に限定されず、本発明の趣旨に沿う範囲で、種々の態様を採用することができる。
【０１６８】
上述した実施形態では、ＶＢ部５０に対する往復経路内に設ける外部装置は電解槽２３であるが、このような構成に限定されるものではない。この外部装置は、例えば流量センサ等の他の装置であってもよい。
【０１６９】
また、上述した実施形態では、ＶＢ部５０を経た水の供給を受けて水を吐出する吐水部が、ノズルユニット１５に設けられた局部洗浄ノズル３１およびノズル洗浄室３２であるが、吐水部として他の構成を備えたものであってもよい。具体的には、他の吐水部としては、例えば、局部洗浄ノズル３１とは別途設けられたノズルであって噴霧口から便器３のボウル部３ａの表面に洗浄水を噴霧する噴霧ノズルや、脱臭フィルタに対して洗浄水を噴霧する噴霧部を有する脱臭ユニット等があげられる。
【符号の説明】
【０１７０】
２      衛生洗浄装置
４      装置本体部
５      ケーシング
９      給水源
１５    ノズルユニット
２２    熱交換器（加熱装置）
２３    電解槽
２４    バキュームブレーカ
２６    タンク
２６ｓ  内部空間
３１    局部洗浄ノズル
３２    ノズル洗浄室
５０    ＶＢ部（バキュームブレーカ部）
５０ａ  下側空間部（第１空間部）
５０ｂ  上側空間部（第２空間部）
６１    ＶＢ下部材
６２    ＶＢキャップ部材
６３    隔壁部
７２    開口部（排水口）
９１    流出口
９２    流入口
９３    外部流出口
９７    差込口部
１１１  第１の流路
１１２  第２の流路
１１３  第３の流路
１２０  ＶＢ側排水流路部
１３０  タンク側排水流路部
【図１】
2020133291.tif 000003
【図２】
2020133291.tif 000004
【図３】
2020133291.tif 000005
【図４】
2020133291.tif 000006
【図５】
2020133291.tif 000007
【図６】
2020133291.tif 000008
【図７】
2020133291.tif 000009
【図８】
2020133291.tif 000010
【図９】
2020133291.tif 000011
【図１０】
2020133291.tif 000012
【図１１】
2020133291.tif 000013
【図１２】
2020133291.tif 000014
【図１３】
2020133291.tif 000015
【図１４】
2020133291.tif 000016
【図１５】
2020133291.tif 000017
【図１６】
2020133291.tif 000018
【図１７】
2020133291.tif 000019
【図１８】
2020133291.tif 000020
【図１９】
2020133291.tif 000021
【図２０】
2020133291.tif 000022
【図２１】
2020133291.tif 000023